(57)【要約】【課題】フレークアイス等のアイスの計量精度を上げることにより、ミキサに供給されるアイスの供給量を正確にし、練り上がった生コンクリートの温度を予定した所定の温度となるようにし、生コンクリートの品質を向上させることのできるバッチャプラントを提供する。【解決手段】バッチャプラントのミキサ１と、ミキサ１の上方に設置されてアイスプラントから空気輸送されたアイスを空気から分離するサイクロン３との間に、氷計量器１４を設け、又、補正水をミキサ１に供給する補正水計量器１７を設ける。【選択図】図１
2007301942.tif 000002
【特許請求の範囲】
【請求項１】
ミキサと、アイスプラントで第一の氷計量器により計量されて輸送されたアイスを分離するよう、前記ミキサの上部に設置された分離手段との間に、第二の氷計量器を設け、且つ、補正水をミキサに供給する補正水計量器を設けたことを特徴とするバッチャプラント。
【請求項２】
輸送は空気輸送である請求項１に記載のバッチャプラント。
【請求項３】
氷計量器は、計量ホッパと荷重検出器を備えた請求項１、２に記載のバッチャプラント。
【請求項４】
補正水計量器は、計量ホッパと荷重検出器を備えた請求項１、２又は３に記載のバッチャプラント。
【請求項５】
荷重検出器はロードセルである請求項３又は４に記載のバッチャプラント。
【請求項６】
分離手段はサイクロンである請求項１乃至５の何れかに記載のバッチャプラント。
【請求項７】
アイスはフレークアイスである請求項１乃至６の何れかに記載のバッチャプラント。
【発明の詳細な説明】
【技術分野】
【０００１】
本発明はバッチャプラントに関するものである。
【背景技術】
【０００２】
バッチャプラントにおいて製造された生コンクリートは、該生コンクリートを打設すべき場所まで搬送されて打設されるが、大規模なコンクリート構造物を構築する際には、セメントの水和熱に伴って打設後のコンクリートに大きな温度変化が生じ、場合によっては、温度変化に起因するひび割れが発生しコンクリート構造物の機能や耐久性等に支障を来たすことがある。又、暑中コンクリートでは、生コン荷卸し時のコンクリート温度に規定があり、その値を満足させるための配合設計が必要である。
【０００３】
斯かる問題を解決するためには、アイスプラントを設置して、アイスプラントで製造したフレークアイス等のアイスをバッチャプラントのコンクリートミキサへ適宜供給して各種材料と共に混練し、生コンクリートの練り上がり時における温度の上昇を抑制するプレクーリングが行なわれる。
【０００４】
しかし、フレークアイスを製造するには時間を要するため、アイスフレークを作り置きしておくために大容量の貯氷庫が必要となり、アイスプラントは大規模となる。従って、アイスプラントをバッチャプラントの上部に設置して重力方式でフレークアイスをミキサに供給する方式にすると、バッチャプラントが非常に大型化してコストアップを招来するため、従来はアイスプラントはバッチャプラントとは別置きにしている。
【０００５】
而して、アイスプラントを別置きにしたバッチャプラントの従来の一例は図２に示されている。図中、１はバッチャプラントに設置されて上部に案内ホッパ２が設けられた、生コンクリート混練用のミキサであって、案内ホッパ２の上部には、サイクロン３が配設されている。
【０００６】
４はバッチャプラントに隣接されたアイスプラントの貯氷庫であり、貯氷庫４上には図示してない製氷機が設置されていると共に、貯氷庫４内にはフレークアイスを払い出すためのスクリューフィーダ５が配置されている。又、貯氷庫４のフレークアイス払出し口６の下部には氷計量器７が設置されている。氷計量器７はロードセル８と、計量ホッパ９とを備えている。計量ホッパ９の底部には、シリンダ等により開閉し得るようにしたゲート９ａが設けられている。
【０００７】
計量ホッパ９の下部には、下部直管部１１ａの中間部にロータリフィーダ１０が設けられた案内ホッパ１１が設けられており、下部直管部１１ａの下端には、ブロア１２から送給される空気によりフレークアイスを空気輸送するための輸送管１３が設けられている。輸送管１３はアイスプラントの下部位置から立上り、バッチャプラントの上部に設けたサイクロン３に接続されている。
【０００８】
バッチャプラントで生コンクリートを製造する場合には、アイスプラントの製氷機で製造されて貯氷庫４に貯氷されていたフレークアイスのうち、所定量のフレークアイスが、スクリューフィーダ５によりフレークアイス払出し口６から払い出されて氷計量器７の計量ホッパ９に投入され、ロードセル８により計量される。又、計量されたフレークアイスはゲート９ａ，９ａが開くことにより案内ホッパ１１へ投入され、ロータリフィーダ１０により輸送管１３へ供給される。
【０００９】
輸送管１３へ供給されたフレークアイスはブロア１２からの空気により輸送管１３内を空気輸送され、サイクロン３において空気から分離されて案内ホッパ２を介しミキサ１に供給され、図示してないラインからミキサ１へ供給された所定量の砂、砂利、セメント、混和剤、水等と共に混練されることにより生コンクリートが製造される。
【００１０】
バッチャプラントに適用するアイスプラントの先行文献としては特許文献１がある。特許文献１は図２に示すものと略同一の機器を備えている。
【特許文献１】特開平９−１３６３１６号公報
【発明の開示】
【発明が解決しようとする課題】
【００１１】
図２に示すようにアイスプラントとバッチャプラントとを別置きにすることにより、バッチャプランの大型化は防止される。しかしながら、図２に示す設備の場合、フレークアイスは空気輸送中に輸送管１３内で溶けてしまったり、フレークアイスが輸送管１３内に付着したりするため、計量したフレークアイスを全量、ミキサ１へ供給することができず、ミキサ１に供給するフレークアイスに計量誤差が生じるという問題があり、又、このような計量誤差が生じることにより、混練されて練り上がった生コンクリートの温度が予定したものと異なり、製品品質に悪影響を与える虞がある。
【００１２】
本発明は、上記実情に鑑み、バッチャプラントのミキサに供給するフレークアイス等のアイスの供給量を正確にして、練り上がった生コンクリートの温度を予定した所定の温度となるようにし、生コンクリートの品質を向上させることを目的としてなしたものである。
【課題を解決するための手段】
【００１３】
請求項１のバッチャプラントは、ミキサと、アイスプラントで第一の氷計量器により計量されて輸送されたアイスを分離するよう、前記ミキサの上部に設置された分離手段との間に、第二の氷計量器を設け、且つ、補正水をミキサに供給する補正水計量器を設けたものである。
【００１４】
請求項２のバッチャプラントにおいては、輸送は空気輸送であり、請求項３のバッチャプラントにおいては、氷計量器は、計量ホッパと荷重検出器を備えたものであり、請求項４のバッチャプラントにおいては、補正水計量器は、計量ホッパと荷重検出器を備えたものであり、請求項５のバッチャプラントにおいては、荷重検出器はロードセルであり、請求項６のバッチャプラントにおいては、分離手段はサイクロンであり、請求項７のバッチャプラントにおいては、アイスはフレークアイスである。
【発明の効果】
【００１５】
本発明の請求項１〜７に記載のバッチャプラントによれば、ミキサに供給するアイスの供給量を正確に計量することができるため、アイスが不足する場合には、補正水を追加でき、従って、水系の計量精度が向上して練り上がった生コンクリートの温度を予定した所定の温度とすることができ、その結果、生コンクリートの品質が向上し、又、ミキサと分離手段との間に第二の氷計量器を設置しているが、貯氷庫や第一の氷計量器はバッチャプラントに設置していないため、バッチャプラントはそれ程大型化はしない、という優れた効果を奏し得る。
【発明を実施するための最良の形態】
【００１６】
以下、本発明の実施の形態を添付図面を参照して説明する。
図１は本発明を実施する形態の一例であって、図中、図２と同一の符号を付した部分は同一のものを表わしている。
而して、本図示例においては、バッチャプラントにおけるサイクロン３をある程度上方に設置して、ミキサ１とサイクロン３との間に氷計量器１４を設置している。氷計量器１４は、ロードセル１５と、計量ホッパ１６とを備えている。計量ホッパ１６の底部には、シリンダ等により開閉し得るようにしたゲート１６ａが設けられている。
【００１７】
又、氷計量器１４の上部には、補正水計量器１７が設置されている。補正水計量器１７は、ロードセル１８と計量ホッパ１９とを備えている。計量ホッパ１９の下部直管部２０内には、バルブ２１が設置されており、下部直管部２０の下端には、下方へ向けて案内ホッパ２まで延在する給水管２２が接続されている。而して、補正水計量器１７で計量した補正水は、計量ホッパ１９から給水ライン２３を介し、案内ホッパ２内に供給し得るようになっている。
【００１８】
次に、上記した実施の形態の作動を説明する。
バッチャプラントで生コンクリートを製造する場合には、アイスプラントの製氷機で製造されて貯氷庫４に貯氷されていたフレークアイスのうち、所定量のフレークアイスがスクリューフィーダ５によりフレークアイス払出し口６から払い出されて氷計量器７の計量ホッパ９に投入され、ロードセル８により計量される。又、計量されたフレークアイスはゲート９ａ，９ａが開くことにより案内ホッパ１１へ投入され、ロータリフィーダ１０により輸送管１３へ供給され、ブロア１２からの空気により輸送管１３内を空気輸送され、サイクロン３において空気から分離される。
【００１９】
而して、サイクロン３において分離されたフレークアイスは、氷計量器１４の計量ホッパ１６へ投入されて、ロードセル１５により計量され、計量されたフレークアイスは、ゲート１６ａが開くことにより案内ホッパ２を介しミキサ１へ投入される。
【００２０】
又、図示してないコンピュータでは、ロードセル１５からの信号を基に、追加供給すべき補正水の量が求められ、求められた補正水は給水ライン２３から案内ホッパ２を介し補正水計量器１７の計量ホッパ１９に供給されてロードセル１８により計量される。而して、所定量の補正水が計量ホッパ１９に供給されると、給水ライン２３からの給水は停止されると共にバルブ２１が開く。このため、フレークアイスの不足量に相当する補正水は、計量ホッパ１９から下部直管部２０、給水管２２、案内ホッパ２を介してミキサ１に供給され、砂、砂利、セメント、混和剤、フレークアイス、水等と共に混練されることにより生コンクリートが製造される。
【００２１】
本図示例によれば、バッチャプラントのミキサ１に供給するフレークアイスの供給量を正確に計量することができるため、フレークアイスが不足する場合には、補正水を追加でき、従って、水系の計量精度が向上して練り上がった生コンクリートの温度を予定した所定の温度とすることができ、生コンクリートの品質が向上する。
【００２２】
又、バッチャプラント側においては、ミキサ１とサイクロン３との間に氷計量器１４を設置しているが、貯氷庫４や製氷機は設置していないため、バッチャプラントはそれ程大型化しなくて良い。
【００２３】
なお、本発明のバッチャプラントにおいては、アイスとしてフレークアイスを用いる場合について説明したが、フレークアイス以外のロックアイス等のアイスを使用することもできること、輸送は空気輸送に限らず、バケットエレベータ、スクリューコンベヤ等他の輸送手段を用いることもできること、荷重検出器としてはロードセル以外に竿秤を使用することもできること、分離手段としては、サイクロン以外のものを使用することもできること、案内ホッパからアイスを切出す手段としては、ロータリフィーダ以外の他の定量切出し手段を用いることもできること、その他、本発明の要旨を逸脱しない範囲内において種々変更を加え得ることは勿論である。
【図面の簡単な説明】
【００２４】
【図１】アイスプラントを別置きした本発明のバッチャプラントの実施の形態の一例の概要を示す正面図である。
【図２】アイスプラントを別置きした従来のバッチャプラントの一例の概要を示す正面図である。
【符号の説明】
【００２５】
１  ミキサ
３  サイクロン（分離手段）
７  氷計量器（第一の氷計量器）
８  ロードセル（荷重検出器）
９  計量ホッパ
１４  氷計量器（第二の氷計量器）
１５  ロードセル（荷重検出器）
１６  計量ホッパ
１７  補正水計量器
１８  ロードセル（荷重検出器）
１９  計量ホッパ
【図１】
2007301942.tif 000003
【図２】
2007301942.tif 000004